(57)【要約】【課題】木材燃料として１ｍ〜２ｍ程度の間伐材を燃焼させて高温度の二次燃焼を可能とし、簡単な構造で背が高くならない燃焼炉を提供する。【解決手段】石版製の炉本体とその下部の基台部３０で構成し、炉本体１０内を垂直仕切り壁１２で一次燃焼室１３と二次燃焼室１４に仕切り、仕切り壁１２の連通開口部１２ａを通して二次燃焼室１４に送り込まれた一次燃焼ガスを、二次燃焼室１４内の並設した上下に延びる第１煙道１４Ａと第２煙道１４Ｂにて燃焼させ、熱風の排ガスを排ガス口２０から炉外に排出させる。一方、基台部３０内には、火格子１６のエアー吹上げ口１９を通して一次燃焼室１３と二次燃焼室１４内に燃焼用空気を供給するエアー供給管３４Ａ，３４Ｂを有すると共に、一次燃焼室１３に対応して火格子１６の下部に燃焼用空気が流通できる灰貯め部３２を配置した。【選択図】図１
0003158893.tif 000002
【実用新案登録請求の範囲】
【請求項１】
垂直方向に立設した垂直仕切り壁により一次燃焼室と二次燃焼室に仕切られると共に、前記仕切り壁の上部に設けた連通開口部により前記一次燃焼室と二次燃焼室とを連通させ、周壁と天井部と火格子および前記仕切り壁を耐火構造材により構成した炉本体と、
前記炉本体の下部に配置され、前記炉本体の火格子を通して前記一次燃焼室と前記二次燃焼室内に燃焼用空気を供給するエアー供給管が配管されると共に、前記一次燃焼室に対応して前記火格子の下部に前記燃焼用空気が流通できる灰貯め部を備えた基台部と、
を有し、
前記一次燃焼室で木材燃料を燃焼させ、さらに前記連通開口部を通して前記二次燃焼室に送り込まれた一次燃焼ガスを前記二次燃焼室でさらに燃焼させ、熱風の排ガスを前記排ガス口から炉外に排出する燃焼炉であって、
前記二次燃焼室内は、１または複数の石版製隔壁により上下方向に形成した複数の煙道が連設されていて、連設される入り口側の煙道に前記連通開口部が臨み、連設される出口側の煙道に前記排ガス口が臨むことを特徴とする燃焼炉。
【請求項２】
前記一次燃焼室の周壁面の上部には、遮蔽板により開閉される木材燃料投入口が形成されていて、前記木材燃料投入口は、棒状の木材を横向きにして投入できるサイズに形成したことを特徴とする請求項１に記載の燃焼炉。
【請求項３】
前記木材燃料投入口に対向する炉外に、棒状の木材を横向きにして一旦貯留する木材受け箱が形成され、前記木材受け箱の底面を前記木材燃料投入口側を支点として傾動可能としたことを特徴とする請求項１または２に記載の燃焼炉。
【請求項４】
前記木材燃料投入口の遮蔽板の開閉動作と、前記木材受け箱の底板の傾動動作を同期駆動する駆動機構を有することを特徴とする請求項１から３のいずれかに記載の燃焼炉。
【請求項５】
前記一次燃焼室は前記二次燃焼室よりも容積が大きいことを特徴とする請求項１から４のいずれかに記載の燃焼炉。
【請求項６】
前記耐火構造材として、石版、キャスタブル耐火物、石版とキャスタブル耐火物とを組み合わせた構成のいずれかを用いたことを特徴とする請求項１から５のいずれかに記載の燃焼炉。
【考案の詳細な説明】
【技術分野】
【０００１】
本考案は、木材を燃焼し熱風を発生させる燃焼炉に係り、木材を燃焼させる一次燃焼室で発生した一次燃焼ガスを二次燃焼室で燃焼させて高温の熱風を発生させる燃焼炉に関する。
【背景技術】
【０００２】
木材を燃料とし、二次燃焼により高温の熱風を発生させる燃焼炉が提案されている（特許文献１）。
【０００３】
この従来の燃焼炉は、木材チップ等の木材燃料をスクリューコンベアにより一次燃焼室に供給して燃焼させ、前記一次燃焼室の上に配置した二次燃焼室において一次燃焼ガスを燃焼させて高温の燃焼ガスを排出している。前記一次燃焼室および二次燃焼室内には燃焼用空気による旋回流を供給し、二次燃焼室で高温度での燃焼を可能としている。
【特許文献１】特開２００９−１６２４１４号公報
【考案の開示】
【考案が解決しようとする課題】
【０００４】
上記した従来の燃焼炉は、上下方向に一次燃焼室と二次燃焼室とを配置した構成としているため、背の高い燃焼炉となる。また、木材燃料が木材チップ等であって、スクリューコンベアにより木材燃料を一次燃焼室に供給しているので、例えば１ｍ〜２ｍ程度の長さの間伐材を木材燃料とするには不向きである。さらに、一次燃焼室および二次燃焼室を形成する炉壁を取り囲むようにして旋回流を形成する壁を設けるため、構造の複雑化を招いている。
【０００５】
本考案は、１ｍ〜２ｍ程度の間伐材を燃焼させて高温度の二次燃焼を可能とし、簡単な構造で背が高くならない燃焼炉を提供することを目的とする。
【課題を解決するための手段】
【０００６】
本考案の目的を実現する燃焼炉は、垂直方向に立設した垂直仕切り壁により一次燃焼室と二次燃焼室に仕切られると共に、前記仕切り壁の上部に設けた連通開口部により前記一次燃焼室と二次燃焼室とを連通させ、周壁と天井部と火格子および前記仕切り壁を耐火物により構成した炉本体と、前記炉本体の下部に配置され、前記炉本体の火格子を通して前記一次燃焼室と前記二次燃焼室内に燃焼用空気を供給するエアー供給管が配管されると共に、前記一次燃焼室に対応して前記火格子の下部に前記燃焼用空気が流通できる灰貯め部を備えた基台部と、を有し、前記一次燃焼室で木材燃料を燃焼させ、さらに前記連通開口部を通して前記二次燃焼室に送り込まれた一次燃焼ガスを前記二次燃焼室でさらに燃焼させ、熱風の排ガスを前記排ガス口から炉外に排出する燃焼炉であって、前記二次燃焼室内は、１または複数の石版製隔壁により上下方向に形成した複数の煙道が連設されていて、連設される入り口側の煙道に前記連通開口部が臨み、連設される出口側の煙道に前記排ガス口が臨むことを特徴とする。
【０００７】
図１を参照して具体的な燃焼炉の構成を示す。燃焼炉１は、耐火物として石版により構成した炉本体とその下部の密閉性を有する箱型又は円筒状等の基台部３０を有し、炉本体１０内を垂直仕切り壁１２で一次燃焼室１３と二次燃焼室１４に仕切り、仕切り壁１２の連通開口部１２ａを通して二次燃焼室１４に送り込まれた一次燃焼ガスを、二次燃焼室１４内の並設した上下に延びる第１煙道１４Ａと第２煙道１４Ｂにて燃焼させ、熱風の排ガスを排ガス口２０から炉外に排出させる。一方、基台部３０内には、火格子１６のエアー吹上げ口１９を通して一次燃焼室１３と二次燃焼室１４内に燃焼用空気を供給するエアー供給管３４Ａ，３４Ｂを有すると共に、一次燃焼室１３に対応して火格子１６の下部に燃焼用空気が流通できる灰貯め部３２を配置した。
【考案の効果】
【０００８】
本考案によれば、耐火物として、例えば石版を用いて炉本体を構成しているため、耐火れんがを積み上げてセメントにより塗り固めるという炉壁構造の燃焼炉に比べて低コスト、少ない製作日数、製造が容易で、メインテナンスも容易である。また、二次燃焼室を複数の煙道に仕切り、火格子のエアー吹上げ口から燃焼用空気を一次燃焼室と二次燃焼室に供給するようにしているが、基台部が一種のアキュムレータとして機能し、脈動等を発生することなく燃焼用空気を安定的に供給することができる。
【０００９】
さらに、二次燃焼室を複数の煙道により構成することで、一次燃焼室を大容積に仕切り、二次燃焼室を小容積としても、実質的に二次燃焼室の煙道を長くすることが可能となり、二次燃焼温度を高温にすることができる。
【図面の簡単な説明】
【００１０】
【図１】本考案の実施形態１を示す燃焼炉の透視斜視図。
【図２】本考案の実施形態２を示す燃焼炉の透視斜視図。
【考案を実施するための形態】
【００１１】
以下、本考案を図に示す実施形態に基づいて説明する。
【００１２】
実施形態１
図１は本考案による燃焼炉の実施形態１を示す概略斜視図で、炉内を透視状態で示している。
【００１３】
図１において、燃焼炉１は、円筒形の炉本体１０と、炉本体１０の下部に配置されて炉本体１０を支持する密閉箱構造の基台部３０とにより構成している。
【００１４】
炉本体１０は、円筒形状をなす炉壁１１により囲まれた炉内部を、垂直方向に配置された垂直仕切り壁１２により一次燃焼室１３と二次燃焼室１４の２室に区画している。垂直仕切り壁１２は、炉本体１０の中心位置から例えば３分の２程度外周側にずれた位置に配置され、大容積側を一次燃焼室１３とし、小容積側を二次燃焼室１４としている。
【００１５】
炉本体１０は上端が天井部１５により塞がれていて、下端が火格子１６により塞がれている。
【００１６】
本実施形態において、炉本体１０は全体を耐熱性を有する石版により構成し、外周面を鉄板（鉄皮）により覆っている。
【００１７】
一次燃焼室１３には、二次燃焼室１４と正反対の壁面に燃料としての木材を投入する投入口１７を取り付けている。投入口１７は、炉壁の上方に配置されていて、例えば長さ１ｍで直径３０ｃｍ以下の間伐材を横向きにして投入できる間口に形成されている。投入口１７の開口面には投入口の開口を遮蔽する遮蔽板１８が昇降可能に取り付けられ、不図示の昇降駆動機構により上昇することにより投入口１７を開放する。
【００１８】
この投入口１７に対向して、炉外には、箱型に形成された木材受け箱５０が隙間を有して配置されていて、該隙間と投入口１７との間に補助板５０ｂが渡され、木材自動投入機５１から供給される木材Ｗを底板５０ａ上に一旦貯留する。木材受け箱５０の底板５０ａは破線で示すように初期位置をスロープ面とし、木材Ｗを投入口１７側に転がした状態で一旦貯留する。底板５０ａは、遮蔽板１８を上昇させる際に傾動して木材投入機５１側を高くしたスロープ面となり、遮蔽板１８が降下すると元の初期位置に戻り、再び木材自動投入機５１からの木材Ｗが木材受け箱５０内に一旦貯留される。
【００１９】
すなわち、木材自動投入機５１から木材Ｗを投入口１７に直接投入する場合、遮蔽板１８を上昇させてこの投入口１７を開口させる時間が長くなるので、一次燃焼室１３内の一次燃焼ガスの一部が炉外に漏出する。しかし、木材受け箱５０に投入する木材Ｗを一旦貯留させておき、遮蔽板１８が上昇して投入口１７が開くのと同時に底板５０ａを傾動して木材Ｗを一次燃焼室１３内に投入し、直ぐに遮蔽板１８を降下させて投入口１７を閉じるので、一次燃焼ガスの炉外への漏出が殆どなくなる。
【００２０】
木材受け箱５０の底板５０ａは、投入口１７側の先端を不図示のヒンジ部材により木材受け箱５０の本体部分に対して揺動可能に支持され、初期位置では水平位置よりも少し上方に傾斜した姿勢に保持され、揺動端側を上下方向に移動させることにより底板５０ａを傾動可能とする。本実施形態では、不図示のモータ駆動される回転軸に底板５０ａの揺動端に連結されるチェーンを巻きとらせると共に、前記回転軸に遮蔽板１８に連結されるチェーンを巻きとらせるようにしており、この回転軸を正逆方向に回転させることにより、遮蔽板１８の昇降動作に同期して底板５０ａの傾動動作を行わせている。
【００２１】
火格子１６は、耐熱性の石版の表面に不定形耐火物であるキャスタブル耐火物（キャスターと略称される）を塗って耐火層を形成した構造、あるいはキャスターによる構成としており、板厚方向に貫通するエアー吹上げ口１９を複数個形成している。このエアー吹上げ口１９は一次燃焼室１３および二次燃焼室１４にそれぞれ形成されている。
【００２２】
二次燃焼室１４は、垂直仕切り壁１２の壁面に対して垂直方向に延び、炉本体１０の内周面まで達すると共に、天井部１５から炉本体１０の上下方向の途中まで延びる中途隔壁１４Ｃにより、第１の煙道１４Ａと第２の煙道１４Ｂとに区画され、この第１の煙道１４Ａと第２の煙道１４Ｂとは、中途隔壁１４Ｃの下端と火格子１６との間で連通している。
【００２３】
垂直仕切り壁１２には、上端の角部に連通開口部１２ａが形成され、一次燃焼室１３の一次燃焼ガスを連通開口部１２ａを通して二次燃焼室１４の第１の煙道１４Ａに導くようにしている。
【００２４】
二次燃焼室１４を構成する炉本体１０の周壁面には、二次燃焼室１４の第２の煙道１４Ｂに連通して排ガス口２０が設けられている。排ガス口２０は、二次燃焼室１４の第２の煙道１４Ｂの上部に形成されていて、二次燃焼室１４内で二次燃焼により高温となった排ガスを熱風として炉外に排出する。すなわち、二次燃焼室１４は、第１の煙道１４Ａと第２の煙道１４Ｂとにより、炉本体１０の高さよりも長い煙道を形成することができ、一次燃焼ガスを十分に二次燃焼させることができる。
【００２５】
密閉箱構造の基台部３０は、火格子１６が嵌まり込むサイズの開口部３１が形成されていて、炉本体１０を支持している。密閉箱構造の基台部３０内には、火格子１６の下方に一次燃焼室１３に対応して逆円錐台形状の灰貯め部３２が取り付けられ、エアー吹上げ口１９を通して落下する木材の燃焼によって発生した灰を貯留する。灰貯め部３２に貯まった灰は、灰貯め部３２の底部に取り付けたスクリューコンベア３３により外部に排出できるようにしている。なお、スクリューコンベア３３の上部に、安山岩製の灰貯め用火格子３２ｂを配置している。
【００２６】
また、密閉構造の基台部３０内には、一次燃焼室１３と二次燃焼室１４の下方に位置して灰貯め部３２の両側に燃焼用空気を供給するエアー供給管３４Ａ、３４Ｂが配置されている。エアー供給管３４Ａ、３４Ｂは、例えば垂直仕切り壁１２の面方向に沿って延び、基台部３０の前後方向にわたるほぼ全長に配管され、炉外に配置された不図示の送風機に接続されている。二次燃焼室１４の下方に配管される第２のエアー供給管３４Ｂは、配管の周壁に、火格子１６に対向する上向きノズル部３４ａが長さ方向に沿って複数形成され、また灰貯め部３２に向けた横向きノズル部３４ｂが長さ方向に沿って複数形成されている。一次燃焼室１３の下方に配管した第１のエアー供給管３４Ａは、灰貯め部３２に向けた横向きノズル部３４ｂを長さ方向に沿って複数形成し、上向きノズル部３４ａは設けていない。
【００２７】
第１のエアー供給管３４Ａと第２のエアー供給管３４Ｂの上向きノズル部３４ａと横向きノズル部３４ｂから噴出した圧縮空気は、密閉構造の基台部３０内に貯まり、この基台部３０が圧縮空気を蓄える一種のアキュムレータとして機能する。
【００２８】
灰貯め部３２は、逆円錐台形状をなす本体部３２ａの内外を燃焼用空気が流通する構造となっており、本体部３２ａに例えば多数の空気流通孔を形成することにより、基台部３０内の圧縮空気が灰貯め部３２内に供給され、さらに火格子１６のエアー吹上げ口１９を抜けて一次燃焼室１３内に供給される。
【００２９】
一次燃焼室１３の火格子１６に形成したエアー吹上げ口１９は、灰貯め部３２内に収まっているため、第１のエアー供給管３４Ａから直接一次燃焼室１３の火格子１６に形成したエアー吹上げ口１９に圧縮空気を供給できないので、横向きノズル部３４ｂのみを第１のエアー供給管３４Ａに形成している。これに対し、二次燃焼室１４に対応するエアー吹上げ口１９は、基台部３０内に直接臨んでいるため、第２のエアー供給管３４Ｂの上向きノズル３４ａから、二次燃焼室１４に臨むエアー吹上げ口１９に圧縮空気を直接吹き込み、二次燃焼室に十分な燃焼用空気を供給できるようにしている。また、灰貯め部３２には、第１のエアー供給管３４Ａと第２のエアー供給管３４Ｂの横向きノズル部３４ｂより、両側から圧縮空気が送り込まれるため、一次燃焼室１３内に十分な燃焼用空気を供給することができる。
【００３０】
一次燃焼室１３を構成する炉本体１０の壁面には、閉鎖蓋により閉じられている点検口３５が形成され、また着火用バーナーが差し込まれるバーナー挿入口３６が形成されている。
【００３１】
木材自動投入機５１は、垂直方向に搬送方向を有する垂直コンベア５１ａに一定間隔を有してホッパー５１ｂを設け、この垂直コンベア５１ａの下部において、例えば水平コンベア５１ｃ上の間伐材Ｗを数本ずつホッパー５１ｂに供給するようにしている。垂直コンベア５１ａは予め設定したタイマー時間で間欠的に駆動されて頂部に達したホッパー５１ｂ内の間伐材Ｗを木材受け箱５０内に投入する。また、水平コンベア５１ｃの先端にストッパー板５１ｄを配置し、垂直コンベア５１ａの間欠駆動に同期してストッパー板５１ｄを開いて空のホッパー５１ｂ内に所定本数の間伐材Ｗを供給する。
【００３２】
以上説明した本実施形態の燃焼炉は、例えば直径が３０ｃｍ以下で長さを１ｍ程度とした間伐材Ｗを横向きにして投入口１７から直接一次燃焼室１３内に投入することができ、投入口１７から見て一次燃焼室１３の奥に二次燃焼室１４を配置した構造としているため、一次燃焼室１３内に多数本の木材燃料である間伐材Ｗを収容して積み上げることができる。仮に、間伐材を長さ方向に沿って一次燃焼室１３内に投入しようとすると、間伐材Ｗを一本ずつ投入しなければならず、非効率的であり、また自動投入機の構造も複雑化する。さらに、一次燃焼室１３内に投入される間伐材は先端が炉本体１０の壁面あるいは仕切り壁１２の壁面に衝突し、損傷するおそれがある。しかし、間伐材Ｗを横向きに一次燃焼室内に投入することによって、一度に複数本の間伐材の投入が実現でき、また炉本体１０の壁面あるいは仕切り壁１２の壁面に衝突しても衝撃が少なくて済み、損傷のおそれがない。
【００３３】
なお、本考案は間伐材などの棒状の木材燃料を横向き姿勢で一次燃焼室に投入することに限定されるものではなく、上述の不利な点があっても棒状の木材燃料を縦方向（長さ方向）に沿って投入口から投入するようにしてもよい。この場合、投入口の開口サイズを小さくすることができ、投入口周囲の炉壁の強度を高めることができる。
【００３４】
燃焼炉の起動時には、一次燃焼室１３内に投入した間伐材Ｗに対し、バーナー挿入口３６から一次燃焼室１３内に挿入した着火用バーナーにより着火する。その際、第１のエアー供給管３４Ａと第２のエアー供給管３４Ｂには燃焼用空気を供給し、エアー吹上げ口１９から一次燃焼室１３と二次燃焼室１４内に既に燃焼用空気を供給した状態としている。間伐材Ｗが自燃すれば前記着火用バーナーによる着火を停止する。一次燃焼室１３内で燃焼用空気によって間伐材Ｗの燃焼が促進され、高温となって上昇した一次燃焼ガスは、一次燃焼室１３の上方に貯まり、さらに仕切り壁１２の連通開口部１２ａを抜けて、二次燃焼室１４の第１の煙道１４Ａに導かれ、さらに第２の煙道１４Ｂに導かれる。第１の煙道１４Ａと第２の煙道１４Ｂには、火格子１６のエアー吹上げ口１９から燃焼用空気が吹き込まれているため、一次燃焼ガスのさらなる燃焼が加速されて高温となる。そして、高温となった熱風が排ガス口２０から排出される。
【００３５】
また、一次燃焼室１３内における木材燃料である間伐材Ｗの燃焼が促進されると、必要量の間伐材が木材受け箱５０から投入口１７を通して一次燃焼室１３内に供給される。この木材燃料の投入は、予め設定した時間毎に自動的に投入することもでき、また手動操作により行ってもよい。
【００３６】
一方、本実施形態では、炉本体等の構成部材を石版を用いているため、耐火煉瓦を積み上げて形成する構成に比べて組み立てが容易であり、また短期間に製作することができ、メインテナンスが容易である。
【００３７】
なお、基台部３０を箱型形状としているが、円筒形状とし、炉本体１０と同径としてもよく、本実施形態の構造に限定されるものではない。
【００３８】
実施形態２
図２は本考案による燃焼炉の実施形態２を示す概略斜視図で、炉内を透視状態で示している。なお、図１に示す部材と同じ部材には同じ符号を付してその説明を省略する。
【００３９】
上記した実施形態１の高温の熱風を発生させる燃焼炉は、炉本体を円筒形状としているが、本実施形態では箱型形状としている。
【００４０】
本実施形態において、燃焼炉１は、箱型の炉本体１００の下部に箱型の基台部３００を配置した構造とし、炉本体１００を実施形態１と同様に石版により構成している。なお、実施形態１では説明しなかったが、石版は鉄製の枠体に嵌め込んだ構成とし、炉本体１００の外周は石版を鉄板で覆った構造としている。
【００４１】
炉本体１００は、耐火キャスター張の四角形状の火格子１６０に複数個のエアー吹上げ口（図中黒丸で示す）１９０を形成し、このエアー吹上げ口１９０は噴き出すエアーの向きを垂直仕切り壁１２０側に向けている。
【００４２】
垂直仕切り壁１２０により大容積の一次燃焼室１３０と小容積の二次燃焼室１４０とに仕切り、連通開口部１２０ａを通して一次燃焼室１３０と二次燃焼室１４０とが連通している。さらに二次燃焼室１４０を、３枚の隔設した中途隔壁１４０ｃ、１４０ｄ、１４０ｅにより、第１の煙道１４０Ａ、第２の煙道１４０Ｂ，第３の煙道１４０Ｃ、第４の煙道１４０Ｄを形成している。ここで、第１の中途隔壁１４０ｃと第３の中途隔壁１４０ｅは実施形態１と同様に天井部１５０から吊り下げられ、第２の中途隔壁１４０ｄは火格子１６０から上方に立てられている。したがって、二次燃焼室１４０の煙道を非常に長く形成することができ、単位時間当たりの排ガス量を大きくしても、十分な二次燃焼が得られる。
【００４３】
また、一次燃焼室１３０に対応する天井部１５０の強度を保持する支柱部１５０Ａを一次燃焼室１３０内に配置している。
【００４４】
なお、基台部３００には、二次燃焼室１４０の下方に第１のエアー供給管３４Ａを配管し、灰貯め部３２の本体部３２ａの両側に第２のエアー供給管３４Ｂを配管し、灰貯め部３２の逆円錐台形状をなす本体部３２ａを通して燃焼用空気を一次燃焼室１３０のエアー吹上げ孔１９０を通して一次燃焼室１３０に供給する。
【００４５】
ところで、上記した各実施形態において、炉本体の構造部材をなす耐火物として石版を例にして説明したが、石版のみでは解決できない箇所についてはキャスターにより構成してもよく、また火格子をキャスター製とするように、炉本体の構造としてキャスターと石版との組み合わせた複合炉構造、あるいは耐火構造部材としてキャスターを用いた構成としてもよい。
【符号の説明】
【００４６】
１  燃焼炉
１０，１００  炉本体
１１  炉壁
１２，１２０  垂直仕切り壁
１２ａ  連通開口部
１３，１３０  一次燃焼室
１４，１４０  二次燃焼室
１４Ａ  第１の煙道、１４Ｂ  第２の煙道
１４０Ａ  第１の煙道、１４０Ｂ  第２の煙道，１４０Ｃ  第３の煙道
１４０Ｄ  第４の煙道
１４Ｃ  中途隔壁      １４０ｃ、１４０ｄ、１４０ｅ  中途隔壁
１５，１５０  天井部
１５０Ａ  支柱部
１６，１６０  火格子
１７  投入口
１８  遮蔽板
１９，１９０  エアー吹上げ口
２０  排ガス口
３０，３００  基台部
３１  開口部
３２  灰貯め部
３２ａ  本体部、３２ｂ  灰貯め用火格子
３３  スクリューコンベア
３４Ａ  第１のエアー供給管、３４Ｂ  第２のエアー供給管
３４ａ  上向きノズル部、３４ｂ  横向きノズル部
３５  点検口
３６  バーナー挿入口
５０  木材受け箱
５０ａ  底板、５０ｂ  補助板
５１  木材自動投入機
５１ａ  垂直コンベア、５１ｂ  ホッパー
５１ｃ  水平コンベア、５１ｄ  ストッパー板
Ｗ  間伐材（木材燃料）
【図１】
0003158893.tif 000003
【図２】
0003158893.tif 000004
【手続補正書】
【提出日】平成22年2月16日(2010.2.16)
【手続補正１】
【補正対象書類名】実用新案登録請求の範囲
【補正対象項目名】全文
【補正方法】変更
【補正の内容】
【実用新案登録請求の範囲】
【請求項１】
垂直方向に立設した垂直仕切り壁により、木材燃料投入口を備えた一次燃焼室と、排ガス口を備えた二次燃焼室に仕切られると共に、前記仕切り壁の上部に設けた連通開口部により前記一次燃焼室と二次燃焼室とを連通させ、周壁と天井部と火格子および前記仕切り壁を耐火構造材により構成した炉本体と、
前記炉本体の下部に配置され、前記炉本体の火格子を通して前記一次燃焼室と前記二次燃焼室内に燃焼用空気を供給するエアー供給管が配管されると共に、前記一次燃焼室に対応して前記火格子の下部に前記燃焼用空気が流通できる灰貯め部を備えた基台部と、
を有し、
前記一次燃焼室で木材燃料を燃焼させ、さらに前記連通開口部を通して前記二次燃焼室に送り込まれた一次燃焼ガスを前記二次燃焼室でさらに燃焼させ、熱風の排ガスを前記排ガス口から炉外に排出する燃焼炉であって、
前記二次燃焼室内は、１または複数の石版製隔壁により上下方向に形成した複数の煙道が連設されていて、連設される入り口側の煙道に前記連通開口部が臨み、連設される出口側の煙道に前記排ガス口が臨むことを特徴とする燃焼炉。
【請求項２】
前記一次燃焼室の周壁面の上部には、遮蔽板により開閉される前記木材燃料投入口が形成されていて、前記木材燃料投入口は、棒状の木材を横向きにして投入できるサイズに形成したことを特徴とする請求項１に記載の燃焼炉。
【請求項３】
前記木材燃料投入口に対向する炉外に、棒状の木材を横向きにして一旦貯留する木材受け箱が形成され、前記木材受け箱の底面を前記木材燃料投入口側を支点として傾動可能としたことを特徴とする請求項１または２に記載の燃焼炉。
【請求項４】
前記木材燃料投入口の遮蔽板の開閉動作と、前記木材受け箱の底板の傾動動作を同期駆動する駆動機構を有することを特徴とする請求項３に記載の燃焼炉。
【請求項５】
前記一次燃焼室は前記二次燃焼室よりも容積が大きいことを特徴とする請求項１から４のいずれかに記載の燃焼炉。
【請求項６】
前記耐火構造材として、石版、キャスタブル耐火物、石版とキャスタブル耐火物とを組み合わせた構成のいずれかを用いたことを特徴とする請求項１から５のいずれかに記載の燃焼炉。
【手続補正２】
【補正対象書類名】明細書
【補正対象項目名】０００６
【補正方法】変更
【補正の内容】
【０００６】
本考案の目的を実現する燃焼炉は、垂直方向に立設した垂直仕切り壁により、木材燃料投入口を備えた一次燃焼室と、排ガス口を備えた二次燃焼室に仕切られると共に、前記仕切り壁の上部に設けた連通開口部により前記一次燃焼室と二次燃焼室とを連通させ、周壁と天井部と火格子および前記仕切り壁を耐火構造材により構成した炉本体と、前記炉本体の下部に配置され、前記炉本体の火格子を通して前記一次燃焼室と前記二次燃焼室内に燃焼用空気を供給するエアー供給管が配管されると共に、前記一次燃焼室に対応して前記火格子の下部に前記燃焼用空気が流通できる灰貯め部を備えた基台部と、を有し、前記一次燃焼室で木材燃料を燃焼させ、さらに前記連通開口部を通して前記二次燃焼室に送り込まれた一次燃焼ガスを前記二次燃焼室でさらに燃焼させ、熱風の排ガスを前記排ガス口から炉外に排出する燃焼炉であって、前記二次燃焼室内は、１または複数の石版製隔壁により上下方向に形成した複数の煙道が連設されていて、連設される入り口側の煙道に前記連通開口部が臨み、連設される出口側の煙道に前記排ガス口が臨むことを特徴とする。